(57)【要約】【課題】ストッパーの押操作と同時にハンドルを安心感の高い適宜の速度で跳ね上げる。【解決手段】ハンドル１４のばね手段２は、ハンドル１４の回動軸１３の周囲に回転軸１３のハンドル１４を跳ね上げる方向の回転に対して回転軸１３を締め付ける方向に、また、回転軸１３の跳ね上げられたハンドル１４を戻す方向の回転に対して回転軸１３の締め付けを緩める方向に巻き付けられる跳ね上げ調整ばね２１と、回転軸１３の周囲に跳ね上げ調整ばね２１の上から回転軸１３をハンドル１４を跳ね上げる方向に回動付勢して巻き付けられる跳ね上げばね２２とを備える。【選択図】図２
2011094365.tif 000002
【特許請求の範囲】
【請求項１】
扉に固着され、正面に開口を有するケースと、前記ケース内に回動軸及びばね手段を介して前記ケースに対して起伏回動可能に装着されるハンドルと、前記ケースに前記ハンドルの回動端が係脱可能に設けられた押しボタン式のストッパーと、前記ケースの背面側に回転可能に軸支されるとともに前記ハンドルに作動連結されて、前記ハンドルの操作により、ボックス本体などの固定枠体側の受け金に対して係脱可能な止め金とを備え、常態において前記ハンドルが前記ストッパーとの係合により前記ケース内の所定の倒伏位置に保持され、前記ストッパーの押操作により、前記ハンドルと前記ストッパーとの係合が解除して、前記ハンドルを前記ケースから所定の起立位置まで跳ね上げる形式のハンドル装置において、
前記ばね手段は、
前記回動軸の周囲に前記回転軸の前記ハンドルを跳ね上げる方向の回転に対して前記回転軸を締め付ける方向に、また、前記回転軸の前記跳ね上げられたハンドルを戻す方向の回転に対して前記回転軸の締め付けを緩める方向に巻き付けられる跳ね上げ調整ばねと、
前記回転軸の周囲に前記跳ね上げ調整ばねの上から前記回転軸を前記ハンドルを跳ね上げる方向に回動付勢して巻き付けられる跳ね上げばねと、
を備え、
前記跳ね上げ調整ばねと前記跳ね上げばねとの相互の作用により、前記ハンドルの跳ね上がり速度を調整する、
ことを特徴とするハンドル装置。
【請求項２】
跳ね上げ調整ばねはカラー内に挿通配置されて当該跳ね上げ調整ばねに粘性を有する液体が注入され、跳ね上げばねは前記カラーの外側に巻き付けられる請求項１に記載のハンドル装置。
【請求項３】
扉に固着され、正面に開口を有するケースと、前記ケース内に回動軸及びばね手段を介して前記ケースに対して起伏回動可能に装着されるハンドルと、前記ケースに前記ハンドルの回動端が係脱可能に設けられる押しボタン式のストッパーと、前記ケースの背面側に回転可能に軸支されるとともに前記ハンドルに作動連結されて、前記ハンドルの操作により、ボックス本体などの固定枠体側の受け金に対して係脱可能な止め金とを備え、常態において前記ハンドルと前記ストッパーとの係合により前記ハンドルが前記ケース内の所定の倒伏位置に保持され、前記ストッパーの押操作により、前記ハンドルと前記ストッパーとの係合を解除して、前記ハンドルを前記ケースから所定の起立位置まで跳ね上げる形式のハンドル装置において、
前記ケースの前記ハンドルの跳ね上がりに際して前記ハンドルの前記回動軸側の端部が当接又は近接する位置にショックアブソーバの本体が設けられ、当該ショックアブソーバのピストンロッドが前記ハンドルの回動軸側の端部に向けて、前記ハンドルの跳ね上がりに際して前記ハンドルの端部に係合可能に突出され、
前記ショックアブソーバの作用により、前記ハンドルの跳ね上がり速度を調整する、
ことを特徴とするハンドル装置。
【発明の詳細な説明】
【技術分野】
【０００１】
本発明は、配電盤や制御盤などの機器格納用キャビネットなどに採用されるハンドル装置に関し、特に、常態においてハンドルと押しボタン式のストッパーとの係合によりハンドルがケース内の所定の倒伏位置に保持され、ストッパーの押操作により、ハンドルとストッパーとの係合が解除されて、ハンドルがケースから所定の起立位置まで跳ね上げられる形式のハンドル装置に関する。
【背景技術】
【０００２】
従来、この種のハンドル装置は、扉に固着され、正面に開口を有するケースと、ケース内に回動軸及びばね手段（通常、捻りコイルばね）を介してケースに対して起伏回動可能に装着されるハンドルと、ケースにハンドルの回動端が係脱可能に設けられた押しボタン式のストッパーと、ケースの背面側に回転可能に軸支されるとともにハンドルに作動連結されて、ハンドルの操作により、ボックス本体などの固定枠体側の受け金に対して係脱可能な止め金とを備え、常態においてハンドルをストッパーの係合によりケース内の所定の倒伏位置に保持し、ストッパーの押操作により、ハンドルとストッパーとの係合を解除して、ハンドルをケースから所定の起立位置まで跳ね上げる形式になっている。このようなハンドル装置は、特許文献１などに記載されている。
【先行技術文献】
【特許文献】
【０００３】
【特許文献１】特開平８−２４６７２３号公報
【発明の概要】
【発明が解決しようとする課題】
【０００４】
しかしながら、上記従来のハンドル装置では、ストッパーの押操作により、ハンドルとストッパーとの係合を解除して、ハンドルをばね手段の回動付勢、通常、捻りコイルばねの復帰力により、ケースから所定の起立位置まで跳ね上げるようにしているため、ストッパーを押すと同時にハンドルは急激に跳ね上がり、また、このハンドルの勢いにより扉に大きな衝撃音を発することがあり、ユーザーがこのハンドルの動きや衝撃音に驚いたり恐さを感じたりすることがある、という問題がある。
【０００５】
本発明は、このような従来の問題を解決するもので、この種のハンドル装置において、ボタン式のストッパーの押操作と同時に、ハンドルを急激に跳ね上げることなく、また扉に大きな衝撃音を発することなしに、安心感の高い適宜の速度で跳ね上げるようにすること、を目的とする。
【課題を解決するための手段】
【０００６】
上記目的を達成するために、本発明は、扉に固着され、正面に開口を有するケースと、前記ケース内に回動軸及びばね手段を介して前記ケースに対して起伏回動可能に装着されるハンドルと、前記ケースに前記ハンドルの回動端が係脱可能に設けられた押しボタン式のストッパーと、前記ケースの背面側に回転可能に軸支されるとともに前記ハンドルに作動連結されて、前記ハンドルの操作により、ボックス本体などの固定枠体側の受け金に対して係脱可能な止め金とを備え、常態において前記ハンドルが前記ストッパーとの係合により前記ケース内の所定の倒伏位置に保持され、前記ストッパーの押操作により、前記ハンドルと前記ストッパーとの係合を解除して、前記ハンドルを前記ケースから所定の起立位置まで跳ね上げる形式のハンドル装置において、前記ばね手段は、前記回動軸の周囲に前記回転軸の前記ハンドルを跳ね上げる方向の回転に対して前記回転軸を締め付ける方向に、また、前記回転軸の前記跳ね上げられたハンドルを戻す方向の回転に対して前記回転軸の締め付けを緩める方向に巻き付けられる跳ね上げ調整ばねと、前記回転軸の周囲に前記跳ね上げ調整ばねの上から前記回転軸を前記ハンドルを跳ね上げる方向に回動付勢して巻き付けられる跳ね上げばねとを備え、前記跳ね上げ調整ばねと前記跳ね上げばねとの相互の作用により、前記ハンドルの跳ね上がり速度を調整する、ことを要旨とする。
この場合、跳ね上げ調整ばねはカラー内に挿通配置されて当該跳ね上げ調整ばねに粘性を有する液体が注入され、跳ね上げばねは前記カラーの外側に巻き付けられることが好ましい。
【０００７】
また、本発明は、扉に固着され、正面に開口を有するケースと、前記ケース内に回動軸及びばね手段を介して前記ケースに対して起伏回動可能に装着されるハンドルと、前記ケースに前記ハンドルの回動端が係脱可能に設けられる押しボタン式のストッパーと、前記ケースの背面側に回転可能に軸支されるとともに前記ハンドルに作動連結されて、前記ハンドルの操作により、ボックス本体などの固定枠体側の受け金に対して係脱可能な止め金とを備え、常態において前記ハンドルと前記ストッパーとの係合により前記ハンドルが前記ケース内の所定の倒伏位置に保持され、前記ストッパーの押操作により、前記ハンドルと前記ストッパーとの係合を解除して、前記ハンドルを前記ケースから所定の起立位置まで跳ね上げる形式のハンドル装置において、前記ケースの前記ハンドルの跳ね上がりに際して前記ハンドルの前記回動軸側の端部が当接又は近接する位置にショックアブソーバの本体が設けられ、当該ショックアブソーバのピストンロッドが前記ハンドルの回動軸側の端部に向けて、前記ハンドルの跳ね上がりに際して前記ハンドルの端部に係合可能に突出され、前記ショックアブソーバの作用により、前記ハンドルの跳ね上がり速度を調整する、ことを要旨とする。
【発明の効果】
【０００８】
本発明のハンドル装置では、押しボタン式のストッパーの押操作により、ハンドルとストッパーとの係合を解除して、ハンドルをばね手段の回動付勢により、ケースから所定の起立位置まで跳ね上げる形式を採用し、ばね手段を、ハンドルの回動軸の周囲に回動軸のハンドルを跳ね上げる方向の回転に対して回動軸を締め付ける方向に、また、回動軸の跳ね上げられたハンドルを戻す方向の回転に対して回動軸の締め付けを緩める方向に巻き付けられる跳ね上げ調整ばねと、回動軸の周囲に跳ね上げ調整ばねの上から回動軸をハンドルを跳ね上げる方向に回動付勢して巻き付けられる跳ね上げばねとにより構成し、これら跳ね上げ調整ばねと跳ね上げばねとの相互の作用により、ハンドルの跳ね上がり速度を調整するので、ボタン式のストッパーの押操作と同時に、ハンドルを低速の適宜速度で回動し、所定の突出位置までゆっくりと跳ね上げることができる。したがって、ハンドルを、急激に跳ね上げることなく、また扉に大きな衝撃音を発することなしに、安心感の高い適宜の速度で跳ね上げることができる。
【図面の簡単な説明】
【０００９】
【図１】（ａ）本発明の一実施の形態におけるハンドル装置の平面図（ｂ）同正面図（ｃ）同背面図
【図２】同ハンドル装置の側面断面図
【図３】（ａ）同ハンドル装置のハンドルに採用されるばね手段の正面断面図（ｂ）同側面断面図
【図４】（ａ）同ハンドル装置のハンドルに採用されるばね手段の、特に跳ね上げ調整用ばねの正面図（ｂ）同側面図
【図５】（ａ）同ハンドル装置のハンドルに採用されるばね手段の、特に跳ね上げ用ばねの正面図（ｂ）同側面図
【図６】（ａ）同ハンドル装置に採用されるインジケータの、特に作動レバーの平面図（ｂ）同側面図（ｃ）同側面断面図
【図７】（ａ）同ハンドル装置に採用される簡易式ロック部材の、特にケース上部のロック部材の平面図（ｂ）同側面図（ｃ）同底面図
【図８】（ａ）同ハンドル装置に採用される簡易式ロック部材の、特にケース下部のロック部材の平面図（ｂ）同側面図（ｃ）同底面図
【図９】同ハンドル装置を扉パネルに取り付けた状態を示す側面断面図
【図１０】同ハンドル装置のハンドルその他各部の動作を示す側面断面図
【図１１】同ハンドル装置のハンドルのばね手段に代えて又はこのばね手段とともに採用されるショックアブソーバを示す側面断面図
【発明を実施するための形態】
【００１０】
次に、この発明を実施するための形態について図を用いて説明する。図１及び図２にハンドル装置を示し、図３乃至図８にその要部を示している。
【００１１】
図１及び図２に示すように、ハンドル装置１は、正面に開口１０、正面の外周にフランジ１１を有し、扉パネルに固着されるケース１２と、ケース１２内に回動軸１３及びばね手段２を介してケース１２に対して起伏回動可能に装着されるハンドル１４と、ケース１２の正面側にハンドル１４の回動側端部に係脱可能に配設される押しボタン式のストッパー１５と、ケース１２の背面側に回転可能に軸支されるとともにハンドル１４に作動連結されて、ハンドル１４の操作により、ボックス本体などの固定枠体側の受け金（図示省略）に対して係脱される止め金１６と、ハンドル１４に組み込まれて、ケース１２側の受け部１２３に係脱可能なロックプレート（錠止部材）１７１を有する錠前ユニット１７と、ハンドル１４に組み込まれて、錠前ユニット１７のロックプレート１７１に作動連結され、鍵１８の回転操作に連動して、ハンドル１４が錠前ユニット１７により錠止された場合のハンドル１４のロック状態と、ハンドル１４の錠前ユニット１７による錠止が解除された場合のハンドル１４のアンロック状態とを切り替え表示するインジケータ３とを備える。また、このハンドル装置１は、扉パネルに形成された取付用開口にケース１２をケース１２の背面側から挿入するとともに、ケース１２のフランジ１１を扉パネルの正面側で取付用開口の縁部周囲に当接させて固定する取り付け形式で、この取り付けの際に使用する簡易式ロック部材４を併せて備える。
【００１２】
図１及び図２に示すように、ケース１２は、亜鉛ダイカストにより、正面に開口１０を有し、正面の外周にフランジ１１を有する縦長の略箱形に形成される。ケース１２の（開口１０）内部はハンドル１４が嵌合可能に、さらにこのハンドル１４の回動側端部の延長上で押しボタン式のストッパー１５が傾動可能に凹状に形成される。この場合、ケース１２内部の上部にハンドル１４のハンドル軸５１を取り付けるための軸筒部１２１が形成され、また、このケース１２内部の上下方向中間部でやや下部側にハンドル１４の回動側端部に組み込まれる錠前ユニット１７及びインジケータ３が嵌合可能に、筒状の凹部１２２がケース１２の背面側を若干外側に突出させて形成され、この筒状の凹部１２２の上面のケース１２の背面側に近接する所定の位置に錠前ユニット１７のロックプレート１７１をロックするための受け部１２３が凹状に形成される。なお、このケース１２には金型による成形時に付随的に上下の各面に平面形状が略矩形の凹溝１２４、１２５が形成される。
【００１３】
図１及び図２に示すように、ハンドル１４は、亜鉛合金又はステンレスにより、ケース１２正面の開口１０内部に一体的に嵌合可能に縦長の板状に形成され、ハンドル軸５１を介してケース１２に取り付けられる。この場合、ハンドル軸５１はケース１２内部の軸筒部１２１に嵌挿可能に形成され、正面側の端部下部中央にその軸方向に対して水平方向直角に回動軸１３を挿通するための軸挿通部５１１が断面略Ｕ字形に突出形成され、その上部（ハンドル１４の枢支側端部の端縁部が当接する位置）に斜め上方に向けて所定の角度を付けて傾斜面５１２が形成され、これに対応してハンドル１４の枢支側端部、すなわち上部背面側に回動軸１３を挿通するための一対の軸挿通部１４０がハンドル１４の延びる方向に向けて、ハンドル軸５１の軸挿通部５１１を外側から挟持可能に所定の間隔で平行にハンドル１４の背面に対して直角に突出され、その上部の端縁部にハンドル軸５１の傾斜面５１１に当接可能な所定角度の傾斜面１４１が形成される。このハンドル１４にはまた、回動側端部に錠前ユニット収納部１４２とインジケータ組み込み部１４５が併せて形成される。この場合、錠前ユニット収納部１４２はハンドル１４の下部背面側に筒状に形成され、この錠前ユニット収納部１４２の軸芯上に当たるハンドル１４の正面下部中央に錠前ユニット１７の鍵穴１７０を臨む穴１４３が円形に形成される。また、この場合、錠前ユニット収納部１４２の上部及び下部の背面側にケース１２側の受け部１２３に対向して、錠前ユニット１７のロックプレート１７１が当該受け部１２３に向けて進退可能にガイド穴１４４が形成される。インジケータ埋め込み部１４５はこの錠前ユニット収納部１４２に隣接して、この場合、錠前ユニット収納部１４２の上部に隣接して形成され、錠前ユニット収納部１４２の穴１４３の直上位置に当たるハンドル１４の正面下部中央にインジケータ３の表示窓１４６が開口され、その背面側で表示窓１４６から上方に少し離れた所定の位置にインジケータ３（作動レバー３０）のための位置決め凸起１４７が形成される。このハンドル３の回動側端部の端縁部にストッパー１５に係合可能な係止爪１４８が設けられる。この場合、係止爪１４８はハンドル１４の下端に形成されてストッパー１５に係合可能な係止段部１４９とこの係止段部１４９の内側に形成されてストッパー１５を上から押圧して下方向に回動変位可能な斜めのガイド面１５０とを有する。そして、ハンドル軸５１が、ケース１２の開口１０内部の上部に形成された軸筒部１２１に回転可能にまた軸方向に移動できないように嵌挿され、ハンドル１４がケース１２の開口１０内部に嵌め込まれて、ハンドル軸５１の一対の軸挿通部５１１がケース１２の一対の軸挿通部１４０間に挟持された状態で、ケース１２の上部側で一方の側面から他方の側面に回動軸１３が挿着されてハンドル１４上部の一対の軸挿通部１４０間にハンドル軸５１の軸挿通部５１１とともに挿通されるとともに、このハンドル軸５１の軸挿通部５１１内（断面略Ｕ字形形状の両側面間）の回動軸１３上にばね手段２が巻き付けられて、ハンドル１４はケース１２内にケース１２の開口１０から所定の起立位置まで回動付勢されて取り付けられる。この場合、ばね手段２は、図３に示すように、回動軸１３の周囲に、回動軸１３のハンドル１４を跳ね上げる方向の回動に対して回動軸１３を締め付ける方向に、また、回動軸１３の跳ね上げられたハンドル１４を戻す方向の回動に対して回動軸１３の締め付けを緩める方向に巻き付けられる跳ね上げ調整ばね２１と、回動軸１３の周囲に跳ね上げ調整ばね２１の上から回動軸１３をハンドル１４を跳ね上げる方向に回動付勢して巻き付けられる跳ね上げばね２２とを備え、跳ね上げ調整ばね２１と跳ね上げばね２２との相互の作用により、ハンドル１４の跳ね上がりが低速の適宜の速度に調整される。この場合、跳ね上げばね２２は、図５に示すように、通常この種のハンドルに用いられる右巻きのコイルスプリングが使用され、跳ね上げ調整ばね２１は、図４に示すように、跳ね上げばね２２に比べて線径が小さく（細く）跳ね上げばね２２の巻き方向とは反対の左巻きのコイルスプリングで、この跳ね上げ調整用のコイルスプリング２１の外周りにカラー（２３）が被せ付けられる。そして、図３に示すように、跳ね上げ調整用のコイルスプリング２１がカラー２３内に挿通配置され、このコイルスプリング２１に粘性を有する液体２４が注入されて、回動軸１３上に巻き付けられ、巻き上げ用のコイルスプリング２２はカラー２３の外側に巻き付けられる。このようにしてハンドル１４は跳ね上げ用のコイルスプリング２２の回動付勢によりケース１２の開口１０から所定の起立位置まで回動可能になっており、この回動の際に跳ね上げ調整用のコイルスプリング２１が回動軸１３に対して締め付ける方向に巻き付けられ、併せて粘性を有する液体２４の作用により、この回動軸１３の回動速度が減速され、ハンドル１４の跳ね上がりが低速のゆっくりとした回動に調整される。なお、ハンドル１４をケース１２内に戻す場合、ハンドル１４を跳ね上げ用のコイルスプリング２２の回動付勢力に抗してケース１２内に押し戻しするが、このとき跳ね上げ調整用のコイルスプリング２１が回動軸１３に対する締め付けを緩める方向に巻き戻しされることにより、ハンドル１４をケース１２内に押し戻す際に回動軸１３に跳ね上げ調整用のコイルスプリング２１による負荷がなく、ハンドル１４の押し戻し動作に何ら影響がない。
【００１４】
図１及び図２に示すように、押しボタン式のストッパー１５は、亜鉛合金又はステンレスにより、ケース１２の正面開口１０の下部に一体的に嵌合可能な略矩形の板状に、かつ一端（この場合、上端部１５１）がケース１２の内部に少し入り込む断面略円弧状に形成され、また、背面に一対のアーム１５２が突出されて、その突出端に軸挿通穴１５３が穿たれる。このストッパー１５は、一対のアーム１５３をケース１２内部に差し込んで、ケース１２の正面開口１０の下部に嵌め込まれる。そして、ケース１２の下部で一方の側面から他方の側面に軸１５４が挿着されてストッパー１５の各アーム１５２の軸挿通穴１５３に通されるとともに、この軸１５４上にコイルスプリング１５５が巻き付けられて、一端をケース１２の背面に係止され、他端をストッパー１５の背面の下部に係止される。なお、この場合、ストッパー１５側のコイルスプリング１５５はハンドル１４側の跳ね上げ用のコイルスプリング２２よりもばね力の強いものが使用される。このようにして押しボタン式のストッパー１５はケース１２の開口１０上に上端部１５１がケース１２の内部に少し入り込むようにして回動可能に取り付けられ、このストッパー１５の上端部１５１がハンドル１４の回動側端部の係止爪１４８に係脱可能になっている。これにより、ハンドル１４をケース１２の開口１０に対して所定の起立位置からケース１２の開口１０に向けて押し戻すことにより、ハンドル１４の回動側端部、すなわちハンドル１４下端のガイド面１５０がストッパー１５の上端部１５１に当たりストッパー１５を下方に回動変位させていき、ハンドル１４下端がストッパー１５の上端部１５１を乗り越えると、ストッパー１５が元の位置に弾性復帰されると同時にハンドル１４下端の係止段部１４９とストッパー１５の上端部１５１が係合し、ストッパー１５側のコイルスプリング１５５がハンドル１４側の跳ね上げ用のコイルスプリング２２よりもばね力が強いため、ハンドル１４がケース１２内（の所定の倒伏位置）に保持される。そして、この状態から、ストッパー１５の正面下部を押すと、ストッパー１５が下方に回動変位して、ハンドル１４下端の係止段部１４９とストッパー１５の上端部１５１との係合が解除され、ハンドル１４はケース１２内から所定の起立位置まで突出回動される。
【００１５】
図１及び図２に示すように、止め金１６は、鉄又はステンレスからプレス加工（打ち抜き加工）により一体に成形され、横方向に長い略長方形に形成され、その一方端に近接してケース１２のハンドル軸５１に対応する軸穴１６０が形成される。この場合、ハンドル軸５１はケース１２の背面側で縮径され、その端部は角軸部５１３になっていて、止め金１６の軸穴１６０はこの角軸部に対応する角軸穴になっている。この止め金１６は抜け防止用のＣリング５２を介してハンドル軸５１に止め金１６の軸穴１６０とハンドル軸５１の軸部５１３との係合により回転不能に挿通され、軸部５１３先端のねじ穴５１４にボルト５１５が締結されて固定される。このようにしてハンドル１４を所定の突出位置で所定の開方向に回すことにより、ハンドル１４とハンドル軸５１の間の回動軸１３を介してハンドル軸５１を同方向に一体回転して、止め金１６を固定枠体側の受け部に係合し、ハンドル１４をこれとは反対の閉方向に回すと、回動軸１３を介してハンドル軸５１を同方向に一体回転して、止め金１６を固定枠体側の受け部から離脱する。
【００１６】
図１及び図２に示すように、錠前ユニット１７は、正面の鍵穴１７０に鍵１８を差し込み、回すことにより、ロータ１７２を回転し、これに連動してロックプレート１７１を進退させる形式が採用される。この場合、ロータ１７２を錠本体に錠止する内部錠機構としては公知のディスクタンブラ錠機構が使用され、ロータ１７２の後端面には回転中心から偏心した位置に駆動用のカム突起１７３が突設される。ロックプレート１７１は板状の部材からなり、その横幅方向に受動用の溝孔１７４が形成される。この錠前ユニット１７はハンドル１４の回動側端部に形成された錠前ユニット収納部１４２に埋め込み固定され、ロックプレート１７１が錠前ユニット収納部１４２の上下部背面側のガイド穴１４４に挿通可能に配置される。このようにして錠前ユニット１７のロータ１７２を回すことにより、このロータ１７２のカム突起１７３がロックプレート１７１の溝孔１７４の内側面を押し、ロックプレート１７１を上下のガイド穴１４４を通じてケース１２側の受け部１２３に向けて進退するようになっている。
【００１７】
図１及び図２に示すように、インジケータ３は、ハンドル１４に錠前ユニット１７の鍵穴１７０に近接して開口され、ハンドル１４のロック状態又はアンロック状態を表示するための表示窓１４６と、一端がケース１２側の受け部１２３と錠前ユニット１７のロックプレート１７１との間に介在される係合部３１をなし、他端にハンドル１４のロック状態を表すロック状態表示部及びハンドル１４のアンロック状態を表すアンロック状態表示部を有する表示部材３２が設けられて、ケース１２側の受け部１２３と表示窓１４６と間に、錠前ユニット１７のロックプレート１７１のケース１２側の受け部１２３に対する係脱方向に揺動可能に枢支される作動レバー（作動部材）３０と、作動レバー３０の一端を常態においてケース１２側の受け部１２３とは反対方向に付勢するばね手段３３とにより構成される。この場合、表示窓１４６はインジケータ組み込み部１４５の正面中心に当たるハンドル１４面の下部中央で、鍵孔１７０の直上位置に開口される。作動レバー３０は、ハンドル１４の下部背面側に形成されたインジケータ組み込み部１４５内に水平方向に向けて配置可能なブロックからなり、図６に示すように、作動レバー３０の両端間中央に軸挿通部３０１が形成される。この作動レバー３０の受け部１２３側の一端に上方に向けて突出し、当該受け部１２３に嵌合可能な凸状部３１１が形成され、その下面に錠前ユニット１７のロックプレート１７１の先端面に対する係合面３１２が形成される。この作動レバー３０の表示窓１４６側の他端に当該表示窓１４６に臨む当該表示窓１４６の開口面積よりも大きい表示板３２０が形成されて、この表示板３２０の表面上半面にハンドル１４のロック状態を表す、例えば青色のシールが貼り付けられてロック状態表示部３２１が形成され、この表示板３２０の表面下半面にハンドル１４のアンロック状態を表す、例えば赤色のシールが貼り付けられてアンロック状態表示部３２２が形成される。そして、図２に示すように、ハンドル１４の下部で一方の側面から他方の側面に軸３４が挿着されて作動レバー３０の両端間中央の軸挿通部３０１に通されるとともに、この軸３４上にばね手段３３のコイルスプリングが巻き付けられて、一端をハンドル１４の錠前ユニット収納部１４２の周面の正面側に係止され、他端を作動レバー３０の下面の正面側に係止される。このようにして錠前ユニット１７の鍵穴１７０に挿入した鍵１８を所定の閉方向に回すと、ロックプレート１７１が作動レバー３０一端の係合部３１（係合面３１２）に係合されると同時に当該一端を上方に向けて押して作動レバー３０が揺動され、当該係合部３１の凸状部３１１とケース１２側の受け部１２３が係合される（言い換えれば、錠前ユニット１７のロックレバー１７１が作動レバー３０の係合部３１（凸状部３１１）を介してケース１２側の受け部１２３に係合される）とともに、他端において表示部材３２のロック状態表示部３２１が表示窓１４６に臨み、表示窓１４６に錠前ユニット１７のロック状態（青色）が表示される。そして、この状態から錠前ユニット１７の鍵１８を反対方向の開方向に回すと、ロックプレート１７１と作動レバー３０一端の係合部３１（係合面３１１）との係合が解除されて、コイルスプリング３３の回動付勢により、作動レバー３０一端の凸状部３１１がケース１２側の受け部１２３から離脱されるとともに、他端において表示部材３２のアンロック状態表示部３２２が表示窓１４６に臨み、表示窓１４６に錠前ユニット１７のアンロック状態が表示される。
【００１８】
図１及び図２に示すように、簡易式ロック部材４は、ケース１２の周面をなす相互に対向する面、この場合、上下の２面に凹溝１２４、１２５が形成され、これら凹溝１２４、１２５に圧入により嵌装される２つのロック部材４１、４２からなる。図７及び図８に示すように、各ロック部材４１、４２は、所定の剛性及び弾性を有するプラスチック材料により一体成形品として形成され、ケース１２の各凹溝１２４、１２５に圧嵌可能なベース４１１、４２１と、ベース４１１、４２１上に基端がヒンジ４１２、４２２を介して結合され、先端がケース１２のフランジ１１の背面側に向けて斜めに延び、扉パネル６の背面に当接可能なロック片４１３、４２３とを有する。この場合、ケース１２上下各面の各凹溝１２４、１２５はケース１２の金型成形に際してケース１２の上下各面に付随的に形成された凹溝が利用され、２つのロック部材４１、４２はそれぞれ、全体がポリアミド系樹脂、特にＰＡ６により、ケース１２の上下各面の各凹溝１２４、１２５の大きさ及び形状に合せて形成される。図７に示すように、ケース上部のロック部材４１はベース４１１がケース１２上部の凹溝１２４に圧嵌可能な略平板状に形成されて、ケース１２の正面側及び背面側に対応する各端縁部の中央に小さい溝形の切り込み４０１が形成され、ロック片４１３はベース４１１よりも少し小さい略平板状に形成されて、ベース４１１のケース１２の背面側に対応する端部にヒンジ結合され、扉パネル６の背面に当接可能に斜めに延ばされる。また、このロック部材４１の場合、ロック片４１３の先端に扉パネルの取付用開口の上縁部に係止可能な断面略Ｌ字形の係合部４１４が形成される。図８に示すように、ケース下部のロック部材４２はベース４２１がケース下部の凹溝１２５に圧嵌可能な略Ｈ形の平面形状に形成されて、ケース１２の正面側及び背面側に対応する各端縁部の中央に大きい溝形の切り込み４０２、４０３が形成され、ロック片４２３はベース４２１と略同じ大きさか又は少し小さい略コ字形に形成されて、ベース４２１のケース１２の背面側に対応する両端部にヒンジ結合され、扉パネルの背面に当接可能に斜めに延ばされる。また、このロック部材４２の場合、ロック片４２３の先端に扉パネルの取付用開口の下縁部周囲に係合可能な凸状部４２４が形成される。なお、このロック部材４２の場合、ハンドル装置１に確実に固定するために、ケース１２の下面の凹溝１２５の内周に、この場合、凹溝１２５の両側面でケース１２の背面側に対応する端部側所定の位置に溝（図示省略）が形成され、ベース４２１の外周に、この場合、ベース４２１の両側面でケース１２の背面側に対応する端部側所定の位置に前記溝に係合可能な突起４２５が形成される。このようにしてハンドル装置１の扉パネル６への取り付けに際し、ケース上下部の各ロック部材４１、４２を（ベース４１１、４２１をケース１２の凹溝１２４、１２５に固定することにより）ハンドル装置１に装着し、ケース１２を扉パネルの取付用開口に挿入して、ケース１２のフランジ１１を扉パネル正面側の取付用開口の縁部周囲に当接させるときに、各ロック部材４１、４２のロック片４１３、４２３を取付用開口の縁部で加圧変形させながら扉パネルの背面側に通して、取付用開口の縁部をロック片４１３、４２３の先端とフランジ１１との間に挟持し、この状態を、ロック片４１３、４２３の扉パネルに対する反力により固定する。
【００１９】
図９にこのハンドル装置１の扉パネル６に対する取り付け方法を示している。なお、扉パネル６にはあらかじめハンドル装置１の取付用開口６０が形成されている。この場合、扉パネル６にねじ穴や透孔は不要である。まず、ケース上下部のロック部材４１、４２をそれぞれ、ハンドル装置１のケース１２上下部の各凹溝１２４、１２５に装着する。この場合、ロック部材４１、４２のロック片４１３、４２３の先端をケース１２のフランジ１１の背面側に向けてベース４１１、４２１をケース１２の凹溝１２４、１２５に圧入して嵌め込めばよい。次に、このハンドル装置１を扉パネル６の取付用開口６０に取り付ける。この場合、この取付用開口６０にハンドル装置１をケース１２の背面側から挿入するとともに、ケース１２のフランジ１１を扉パネル６の正面側で取付用開口６０の縁部周囲に当接させる。このケース１２の取り付けにより、ケース上部のロック部材４１は、ロック片４１３が取付用開口６０の縁部により加圧変形されるとともに、取付用開口６０の縁部をロック片４１３の先端の断面略Ｌ字形の係合部４１４とフランジ１１との間に挟持して、この状態が、ロック片４１３の扉パネル６の縁部に対する反力により固定される。また、ケース下部のロック部材４２は、ロック片４２３が取付用開口６０の縁部により加圧変形されるとともに、取付用開口６０の縁部をロック片４２３の先端の各凸状部４２４とフランジ１１との間に挟持して、この状態が、ロック片４２３の扉パネル６の縁部に対する反力により固定される。これにより、ハンドル装置１は扉パネル６の取付用開口６０にがたつくことなく確実に取り付けられる。
【００２０】
図１０にこのハンドル装置１のハンドル１４その他各部の動作を示している。扉パネルが固定枠体に対して閉じられているときは、通常、図１０（１）に示すように、ハンドル１４がケース１２内（の所定の倒伏位置）に押し込まれ、ハンドル１４下端の係止段部１４９が押しボタン式のストッパー１５の上端部１５１に係止されて、ケース１２内に保持される。この状態では、ハンドル１４背面の錠前ユニット収納部１４２がインジケータ組み込み部１４５とともにケース１２の開口１０内の筒状の凹部１２２に嵌合され、ケース１２の背面の外側で止め金１６が長手方向を水平に向けて固定され、これが固定枠体側の受け金に係合されて、扉パネルを閉鎖状態に施錠する。そして、これが錠前ユニット１７によりロックされると、錠前ユニット１７のロータ１７２が所定のロック方向に回転されてロックプレート１７１が上下のガイド穴１４４を通じてケース１２側の受け部１２３に向けて前進される。このロックプレート１７１はインジケータ組み込み部１４５内の作動レバー３０一端の係合部３１（係合面３１２）に係合され、当該一端を上方に向けて押して、作動レバー３０が揺動され、当該係合部３１の凸状部３１１がケース１２側の受け部１２３に係合される。これにより、錠前ユニット１７のロックレバー１７１が作動レバー３０の係合部３１（凸状部３１１）を介してケース１２側の受け部１２３に係合される。これと同時に、作動レバー３０の他端において表示部材３２のロック状態表示部３２１が表示窓１４６に臨み、表示窓１４６に錠前ユニット１７のロック状態が表示される。そして、扉パネルを固定枠体に対して開く場合は、図１０（２）に示すように、錠前ユニット１７の鍵穴に鍵を挿入し、鍵を所定のアンロック方向に回転操作することにより、錠前ユニット１７のロータ１７２が所定のアンロック方向に回転されてロックプレート１７１が上下のガイド穴１４４を通じて錠前ユニット収納部１４２へ後退される。これによりロックプレート１７１とインジケータ組み込み部１４５内の作動レバー３０との係合が解除され、作動レバー３０がばね手段３３の回動付勢によりケース１２の受け部１２３側から離れる方向に揺動され、作動レバー３０の凸状部３１１がケース１２側の受け部１２３から離脱される。これと同時に、作動レバー３０の他端において表示部材３２のアンロック状態表示部３２２が表示窓１４６に臨み、表示窓１４６に錠前ユニット１７のアンロック状態が表示される。そして、押しボタン式のストッパー１５の正面下部を押すと、図１０（３）に示すように、ストッパー１５はケース１２の開口１０上で下方に回動変位し、ハンドル１４下端の係止段部１４９とストッパー１５の上端部１５１との係合が解除され、ハンドル１４が回動軸１３上のばね手段２の回動付勢によりケース１２内から所定の起立位置まで突出回動される。このとき、ハンドル１４は回動軸１３がこの回動軸１３上の跳ね上げ用のコイルスプリング２２により回動付勢されて回動されるが、この回動軸１３の回転とともにこの回動軸１３上の跳ね上げ調整用のコイルスプリング２１が回動軸１３に対して締め付ける方向に巻き付けられ、併せて粘性を有する液体２４の作用により、この回動軸１３の回動速度が減速調整され、ハンドル１４は低速の適宜速度で回動し、所定の突出位置までゆっくりと跳ね上げられる。そして、このハンドル１４の所定の突出位置で、ハンドル１４を所定の開方向に回動することにより、止め金１６がハンドル１４の回動方向に一体回転されて、止め金１６と固定枠体側の受け金との係合が解除され、扉パネルが解錠される。なお、この状態から扉パネルを閉める場合は、操作が上記操作と反対になる。すなわち、まず、ハンドル１４を所定の閉方向に回動する。これにより、止め金１６がハンドル１４と同方向に一体回転され、固定枠体側の受け金に係合される。そして、ハンドル１４をケース１２内に押し戻す。このとき、ハンドル１４の回動軸１３に跳ね上げ調整用のコイルスプリング２１が回動軸１３に対して締め付ける方向に巻き付けられているが、このハンドル１４を押し戻すときの回動軸１３の反転方向の回動とともにこの回動軸１３上の跳ね上げ調整用のコイルスプリング２１が回動軸１３に対する締め付けを緩める方向に巻き戻しされるので、ハンドル１４の回動軸１３に跳ね上げ調整用のコイルスプリング２１による負荷はなく、ハンドル１４をケース１２内に押し戻す動作に何ら影響がない。したがって、ハンドル１４をケース１２内に従来と同様に跳ね上げ用のコイルスプリング２２の回動付勢力に抗して押し戻せばよく、ハンドル１４の操作性は良好に維持される。このハンドル１４の押し戻しにより、ハンドル１４の回動側端部、すなわちハンドル１４下端のガイド面１５０がストッパー１５の上端部１５１に当たりストッパー１５を下方に回動変位させていき、ハンドル１４下端がストッパー１５の上端部１５１を乗り越えると、ストッパー１５が元の位置に弾性復帰されると同時にハンドル１４下端の係止段部１４９とストッパー１５の上端部１５１が係合し、ハンドル１４が、ハンドル１４の背面の錠前ユニット収納部１４２がインジケータ組み込み部１４５とともにケース１２内の筒状の凹部１２２に嵌合されて、ケース１２内に保持され、扉パネルが再び閉鎖状態に施錠される。そして、錠前ユニット１７をロックする場合は、錠前ユニット１７の鍵穴に鍵を挿入し、鍵を所定のロック方向に回転操作する。これにより、錠前ユニット１７のロータ１７２が所定のロック方向に回転されてロックプレート１７１が上下のガイド穴１４４を通じてケース１２側の受け部１２３に向けて前進される。このロックプレート１７１はインジケータ組み込み部１４５内の作動レバー３０一端の係合部３１（係合面３１２）に係合され、当該一端を上方に向けて押して、作動レバー３０が揺動され、当該係合部３１の凸状部３１１がケース１２側の受け部１２３に係合される。これにより、錠前ユニット１７のロックプレート１７１が作動レバー３０の係合部３１（凸状部３１１）を介してケース１２側の受け部１２３に係合される。これと同時に、作動レバー３０の他端において表示部材３２のロック状態表示部３２１が表示窓１４６に臨み、表示窓１４６に錠前ユニット１７のロック状態が表示される。
【００２１】
以上説明したように、このハンドル装置１では、ストッパー１５の押操作により、ハンドル１４とストッパー１５との係合を解除して、ハンドル１４をばね手段２の回動付勢により、ケース１２から所定の起立位置まで跳ね上げる形式を採用し、ばね手段２を、ハンドル１４の回動軸１３の周囲に回動軸１３のハンドル１４を跳ね上げる方向の回転に対して回動軸１３を締め付ける方向に、また、回動軸１３の跳ね上げられたハンドル１４を戻す方向の回転に対して回動軸１３の締め付けを緩める方向に巻き付けられる跳ね上げ調整ばね２１と、回動軸１３の周囲に跳ね上げ調整ばね２１の上から回動軸１３をハンドル１４を跳ね上げる方向に回動付勢して巻き付けられる跳ね上げばね２２とにより構成し、これら跳ね上げ調整ばね２１と跳ね上げばね２２との相互の作用により、ハンドル１４の跳ね上がり速度を調整するので、ボタン式のストッパー１５の押操作と同時に、ハンドル１４を低速の適宜速度で回動し、所定の突出位置までゆっくりと跳ね上げることができる。したがって、ハンドル１４を急激に跳ね上げることなく、また扉に大きな衝撃音を発することなしに、安心感の高い適宜の速度で跳ね上げることができる。なお、ハンドル１４をケース１２内に押し戻すときは、このハンドル１４を押し戻すときの回動軸１３の回転とともにこの回動軸１３上の跳ね上げ調整用のコイルスプリング２１が回動軸１３に対する締め付けを緩める方向に巻き戻しされるので、ハンドル１４をケース１２内に押し戻す動作に何ら影響がなく、ハンドル１４をケース１２内に従来と同様に跳ね上げ用のコイルスプリング２２の回動付勢力に抗して押し戻せばよく、ハンドル１４の操作性を良好に維持することができる。
【００２２】
また、このばね手段２の場合、跳ね上げ調整ばね２１はカラー２３内に挿通配置されて当該跳ね上げ調整ばね２１に粘性を有する液体２４が注入され、跳ね上げばね２２はカラー２３の外側に巻き付けられるので、ばね手段２から粘性を有する液体２４の漏れを確実に防止することができる。
【００２３】
なお、この実施の形態では、ばね手段２を跳ね上げ調整ばね２１と跳ね上げばね２２との２重構造にして、ハンドル１４の跳ね上がり速度を調整するようにしているが、このばね手段２に代えて又はこのばね手段２とともに、ショックアブソーバがケースとハンドルとの間に設けられて、ハンドルの跳ね上がり速度を調整するようにしてもよい。この場合、図１１に示すように、ケース１２の、ハンドル１４の跳ね上がりに際してハンドル１４の回動軸１３側の端部が当接又は近接する位置に、ショックアブソーバ７の本体が設けられ、ショックアブソーバ７のピストンロッド７１がハンドル１２の回動軸１３側の端部に向けて、ハンドル１２の跳ね上がりに際してハンドル１２の端部に係合可能に突出され、このショックアブソーバ７の作用により、ハンドル１２の跳ね上がり速度を調整すればよい。
【００２４】
また、このハンドル装置１においては、ハンドル１４に、錠前ユニット１７のロックプレート１７１に作動連結し、鍵１８の回転操作に連動して、ハンドル１４を錠前ユニット１７により錠止した場合のハンドル１４のロック状態と、ハンドル１４の錠前ユニット１７による錠止を解除した場合のハンドル１４のアンロック状態とを切り替え表示するインジケータ３を備えたので、このインジケータ３により、ハンドル１４が錠前ユニット１７により錠止されているか又は錠止が解除されているかが目視により瞬時に分かり、扉の開閉に際して利便性の向上を図ることができる。したがって、従来のように、錠前ユニットの鍵を掛けたつもりで鍵を掛け忘れていたり、鍵がかかっているのを知らないでハンドル操作をしたり、鍵が掛かっているにも関わらず鍵を用意していなかったりといったことを可及的になくす、又は少なくすることができる。
【００２５】
特に、このインジケータ３は、ハンドル１４に錠前ユニット１７の鍵穴１７０に近接して開口し、ハンドル１４のロック状態又はアンロック状態を表示するための表示窓１４６と、一端がケース１２側の受け部１２３と錠前ユニット１７のロックプレート１７１との間に介在する係合部３１をなし、他端にハンドル１４のロック状態を表すロック状態表示部３２１及びハンドル１４のアンロック状態を表すアンロック状態表示部３２２を有する表示部材３２を有し、ケース１２側の受け部１２３と表示窓１４６と間に錠前ユニット１７のロックプレート１７１のケース１２側の受け部１２３に対する係脱方向に揺動可能に枢支される作動レバー３０と、作動レバー３０の一端を常態においてケース１２側の受け部１２３とは反対方向に付勢するばね手段３３とを有し、錠前ユニット１７の鍵穴１７０に挿入した鍵１８の回転操作により、錠前ユニット１７のロックプレート１７１を作動レバー３０一端の係合部３１に係合させて当該係合部３１とケース１２側の受け部１２３とを係合させるとともに、他端において表示部材３２のロック状態表示部３２１を表示窓１４６に臨ませ、また、当該鍵１８の反対方向の回転操作により、錠前ユニット１７のロックプレート１７１と作動レバー３０一端の係合部３１との係合を解除して当該一端の係合部３１をケース１２側の受け部１２３から離脱させるとともに、他端において表示部材３２のアンロック状態表示部３２２を表示窓１４６に臨ませるようにしたので、インジケータ３を錠前ユニット１７の一部（ロックプレート１７１）及びその動きを利用した簡単な構造で構成することができ、信頼性の高いインジケータ３を低コストに提供することができる。
【００２６】
なお、この実施の形態では、錠前ユニット１７及びインジケータ３をハンドル１４内に組み込み、錠前ユニット１７のロックプレート１７１をインジケータ３の作動レバー３０を介してケース１２側の受け部１２３に係脱するようにしたが、この錠前ユニット及びインジケータをケース内に組み込み、錠前ユニットのロックプレートをインジケータの作動レバーを介してハンドル側の受け部に係脱するようにしてもよく、このようにしても上記実施の形態と同様の作用効果を奏することができる。
【００２７】
さらに、このハンドル装置１においては、２つのロック部材４１、４２からなる簡易式ロック部材４を備え、２つのロック部材４１、４２がそれぞれ、所定の剛性及び弾性を有するプラスチック材料（この場合、ポリアミド系樹脂、特にＰＡ６）により一体成形品として形成され、ケース１２上下部の各凹溝１２４、１２５に圧嵌可能なベース４１１、４２１と、ベース４１１、４２１上に基端がヒンジ４１２、４２２を介して結合され、先端がケース１２のフランジ１１の背面側に向けて斜めに延び、扉パネル６の背面に当接可能なロック片４１３、４２３とを備え、ハンドル装置１の扉パネル６への取り付けにおいて、２つのロック部材４１、４２をそれぞれ、ベース４１１、４２１をケース１２の凹溝１２４、１２５に固定することによりハンドル装置１に装着し、ケース１２を扉パネル６の取付用開口６０に挿入して、ケース１２のフランジ１１を当該取付用開口６０の縁部周囲に当接させるときに、ロック片４１３、４２３を当該取付用開口６０の縁部で加圧変形させながら扉パネル６の背面側に通して、当該取付用開口６０の縁部をロック片４１３、４２３の先端とフランジ１１との間に挟持し、この状態を、ロック片４１３、４２３の扉パネル６に対する反力により固定するので、扉パネル６の取付用開口６０にケース１２を挿入し、ケース１２のフランジ１１を扉パネル６の正面に当接させるだけで、このハンドル装置１を扉パネル６の取付用開口６０に確実に取り付け固定することができる。したがって、このハンドル装置１を、扉パネル６に、ねじを使用することなしに、ワンタッチ装着することができ、取付作業の大幅な向上を図ることができる。
【００２８】
また、この簡易式ロック部材４の場合、ケース上部のロック部材４１のロック片４１３の先端に取付用開口６０の縁部に係止可能な断面略Ｌ字形の係合部４１４を形成し、取付用開口６０の縁部６１をロック片４１３の先端の断面略Ｌ字形の係合部４１４とフランジ１１との間に挟持して、この状態を、ロック片４１３の扉パネル６に対する反力により固定し、ケース下部のロック部材４２のロック片４２３の先端に扉パネル６の取付用開口６０の縁部周囲に係合可能な凸状部４２４を形成し、取付用開口６０の縁部６１をロック片４２３の先端の凸状部４２４とフランジ１１との間に挟持して、この状態を、ロック片４２３の扉パネル６に対する反力により固定するので、ハンドル装置１を扉パネル６の取付用開口６０にがたつくことなく確実に取り付けることができる。
【００２９】
さらに、この簡易式ロック部材４の場合、ベース４１１、４２１の外周縁部、この場合、端縁部に溝形の切り込み４０１、４０２、４０３を形成したので、このロック部材４をハンドル装置１から取り外す必要がある場合に、マイナスドライバーや細い棒材をベース４１１、４２１の切り込み４０１、４０２、４０３に差し込みこのマイナスドライバーや細い棒材でベース４１１、４２１を引き起こすことにより、ロック部材４をハンドル装置１から簡単に取り外すことができる。
【００３０】
またさらに、この簡易式ロック部材４の特にケース下部のロック部材４２の場合、ケース１２下面の凹溝１２５の内周に溝を形成し、ケース下部のロック部材４２のベース４２１の外周に当該溝に係合可能な突起４２５を形成したので、このロック部材４２を凹溝１２５に嵌め込んだ際に、ロック部材４２の突起４２５と凹溝１２５の溝が係合して、このロック部材４２を下向きの凹溝１２５であっても脱落を確実に防止して、ハンドル装置１に確実に固定することができる。この場合、溝は孔に代えてもよいことは言うまでもない。
【００３１】
なお、この実施の形態では、ケース１２を金型成形により形成し、ケース１２の周面の凹溝に金型成形に際して付随的に形成される凹溝１２４、１２５を利用したが、ケース１２の周面にロック部材４（４１、４２）を装着するための専用の溝を形成して、この溝にロック部材４（４１、４２）を取り付けるようにしてもよい。また、このロック部材４（４１、４２）の場合、ケース１２の上下各面に装着するようにしたが、ケース１２の左右両側面に同様にして装着してもよく、さらに、ケース１２の上下、左右両側の各面に同様にして装着するようにしてもよい。また、この実施の形態では、特にケース下部のロック部材４２に突起４２５を設け、凹溝１２５の溝に係合させているが、ケース上部のロック部材４１もまた同様にして凹溝１２４に固定するようにしてもよい。このようにしても上記実施の形態と同様の作用効果を得ることができる。
【００３２】
また、この実施の形態では、この簡易式ロック部材４をハンドル装置１に付属的に備えたもの、すなわち、ハンドル装置１の構成部品の一つとして例示したが、この簡易式ロック部材４を、ハンドル装置１を含むこの種のハンドル装置に広く使用する汎用部品として提供することができ、この簡易式ロック部材４を各種のハンドル装置に装着することで、各種のハンドル装置を扉パネル（の取付用開口）に上記実施の形態と同様にして取り付けることができ、上記実施の形態と同様の作用効果を奏することができる。
【符号の説明】
【００３３】
１  ハンドル装置
１０  開口
１１  フランジ
１２  ケース
１２１  軸筒部
１２２  筒状の凹部
１２３  受け部
１２４  凹溝
１２５  凹溝
１３  回動軸
１４  ハンドル
１４０  軸挿通部
１４１  傾斜面
１４２  錠前ユニット収納部
１４３  穴
１４４  ガイド穴
１４５  インジケータ組み込み部
１４６  表示窓
１４７  位置決め凸起
１４８  係止爪
１４９  係止段部
１５０  ガイド面
１５  押しボタン式のストッパー
１５１  上端部
１５２  アーム
１５３  軸挿通穴
１６  止め金
１６０  軸穴（角軸穴）
１７  錠前ユニット
１７０  鍵穴
１７１  ロックプレート（錠止部材）
１７２  ロータ
１７３  カム突起
１７４  溝孔
１８  鍵
２  ばね手段
２１  跳ね上げ調整用ばね（跳ね上げ調整用のコイルスプリング）
２２  跳ね上げ用ばね（跳ね上げ用のコイルスプリング）
２３  カラー
２４  粘性を有する液体
３  インジケータ
３０  作動レバー（作動部材）
３０１  軸挿通部
３１  係合部
３１１  凸状部
３１２  係合面
３２  表示部材
３２０  表示板
３２１  ロック状態表示部
３２２  アンロック状態表示部
３３  ばね手段（コイルスプリング）
３４  軸
４  簡易式ロック部材
４０１  切り込み
４０２  切り込み
４０３  切り込み
４１  ケース上部のロック部材
４１１  ベース
４１２  ヒンジ
４１３  ロック片
４１４  断面略Ｌ字形の係合部
４２  ケース下部のロック部材
４２１  ベース
４２２  ヒンジ
４２３  ロック片
４２４  凸状部
４２５  突起
５１  ハンドル軸
５１１  軸挿通部
５１２  傾斜面
５１３  軸部（角軸部）
５１４  ねじ穴
５１５  ボルト
５２  Ｃリング
６  扉パネル
６０  取付用開口
７  ショックアブソーバ
７１  ピストンロッド
【図１】
2011094365.tif 000003
【図２】
2011094365.tif 000004
【図３】
2011094365.tif 000005
【図４】
2011094365.tif 000006
【図５】
2011094365.tif 000007
【図６】
2011094365.tif 000008
【図７】
2011094365.tif 000009
【図８】
2011094365.tif 000010
【図９】
2011094365.tif 000011
【図１０】
2011094365.tif 000012
【図１１】
2011094365.tif 000013